(57)【要約】【課題】  本発明の目的は、３Ｄメガネと連動するディスプレイ装置において、提供される映像に合ったオーディオが提供できるディスプレイ装置を提供することにある。【解決手段】  本発明は、ディスプレイ装置および３Ｄメガネ、そしてこれを含むディスプレイシステムに関し、本発明に係るディスプレイ装置と連動する３Ｄメガネは、外部ディスプレイ装置から同期信号およびオーディオ信号を受信する無線受信部と、受信した同期信号に従ってシャッターを駆動するシャッター駆動部と、受信したオーディオ信号を処理して出力するオーディオ出力部とを含む。これにより、ディスプレイ装置を通じて視聴する映像に対応するオーディオを選択して聴取し、干渉されることなく、別個のコンテンツを鑑賞することが可能となる。【選択図】図１
2011229146.tif 000002
【特許請求の範囲】
【請求項１】
外部ディスプレイ装置と連動する３Ｄメガネにおいて、
前記外部ディスプレイ装置から同期信号およびオーディオ信号を受信する無線受信部と、
前記受信した同期信号に従ってシャッターを駆動するシャッター駆動部と、
前記受信したオーディオ信号を処理して出力するオーディオ出力部と、
を含むことを特徴とする３Ｄメガネ。
【請求項２】
前記シャッター駆動部は、
前記外部ディスプレイ装置が互いに異なるコンテンツに該当する複数の映像を表示する場合、
前記同期信号に対応して前記複数の映像のうちいずれか一つのみがユーザに見せられるようにシャッターを駆動することを特徴とする請求項１に記載の３Ｄメガネ。
【請求項３】
前記オーディオ信号は、
前記複数の映像に対応する複数のチャネルのオーディオ信号であり、
前記オーディオ出力部は、
前記受信した複数のチャネルのオーディオ信号のうち、ユーザに見せられる映像に該当するオーディオ信号を出力することを特徴とする請求項２に記載の３Ｄメガネ。
【請求項４】
ユーザからチャネルの選択を入力されるチャネル選択部を更に含み、
前記オーディオ出力部は、
前記チャネル選択部を介して選択されたチャネルに該当するオーディオ信号を出力することを特徴とする請求項３に記載の３Ｄメガネ。
【請求項５】
前記外部ディスプレイ装置は、複数の映像を交互に出力するディスプレイ装置であって、
前記同期信号は、前記複数の映像のうちいずれか一つの映像が出力されるタイミングと同期化した信号であることを特徴とする請求項１に記載の３Ｄメガネ。
【請求項６】
前記備えられたシャッターは左眼シャッターおよび右眼シャッターを含み、
前記シャッター駆動部は、
前記同期信号に従って左眼シャッターおよび右眼シャッターの開閉を同時に駆動させることを特徴とする請求項１に記載の３Ｄメガネ。
【請求項７】
前記無線受信部は、
Ｚｉｇｂｅｅ規格に従って前記オーディオ信号を受信することを特徴とする請求項１に記載の３Ｄメガネ。
【請求項８】
３Ｄメガネと通信するディスプレイ装置において、
複数の映像を信号処理する信号処理部と、
信号処理された複数の映像を出力するディスプレイ部と、
前記複数の映像に該当する同期信号およびオーディオ信号を前記３Ｄメガネに伝送する通信部と、
を含むことを特徴とするディスプレイ装置。
【請求項９】
前記ディスプレイ部は、
互いに異なるコンテンツに該当する複数の映像を表示することを特徴とする請求項８に記載のディスプレイ装置。
【請求項１０】
前記オーディオ信号は、
前記複数の映像に対応する複数のチャネルのオーディオ信号であることを特徴とする請求項９に記載のディスプレイ装置。
【請求項１１】
前記同期信号は、前記複数の映像のうちいずれか一つの映像が出力されるタイミングと同期化した信号であることを特徴とする請求項８に記載のディスプレイ装置。
【請求項１２】
前記通信部は、
Ｚｉｇｂｅｅ規格に従ってオーディオ信号を伝送することを特徴とする請求項８に記載のディスプレイ装置。
【請求項１３】
複数の映像を交互に出力するディスプレイ装置と、
前記ディスプレイ装置と連動する３Ｄメガネとを含み、
前記ディスプレイ装置は３Ｄメガネに同期信号およびオーディオ信号を伝送し、前記３Ｄメガネは前記受信した同期信号に対応する映像に該当するオーディオ信号を選択して出力することを特徴とするディスプレイシステム。
【請求項１４】
前記オーディオ信号は、
前記ディスプレイ装置から出力される複数の映像に対応する複数のオーディオ信号が多チャネルに合成された信号であり、
前記３Ｄメガネは、
前記受信した多チャネルオーディオ信号のうちいずれか一つを選択し、選択されたオーディオ信号を出力することを特徴とする請求項１３に記載のディスプレイシステム。
【請求項１５】
前記オーディオ信号は、
前記３Ｄメガネが受信した同期信号に対応する映像に該当するオーディオ信号であり、
前記３Ｄメガネは、
前記受信したオーディオ信号をそのまま出力することを特徴とする請求項１３に記載のディスプレイシステム。
【発明の詳細な説明】
【技術分野】
【０００１】
本発明は、ディスプレイ装置および３Ｄメガネ、そしてこれを含むディスプレイシステムに関し、より詳細には、互いに連動するディスプレイ装置および３Ｄメガネを含むディスプレイシステムにおいて、オーディオ信号の効果的な送受信のためのディスプレイ装置および３Ｄメガネ、そしてこれを含むディスプレイシステムに関する。
【背景技術】
【０００２】
３Ｄ技術の発展とともに、３Ｄ映像技術を応用した多様な装置が登場している。３Ｄカメラのような３Ｄ製作関連装置をはじめ、３Ｄ映像が視聴可能な３ＤＴＶと、それと連動して立体感のある映像を実現する３Ｄメガネが代表的である。
【０００３】
最近では、映画やドキュメンタリのようなエンターテイメントコンテンツが３Ｄ技術で製作されて世界的な脚光を浴びており、特に、３Ｄで製作された映画は記録的な観客動員数を示している。それに伴い、３Ｄコンテンツを開発するエンターテイメント業者間の競争は更に激化し、３Ｄ映像装置を生産するメーカらも技術の確保に躍起になっている。
【０００４】
この３Ｄ映像は、今や電波を通じて茶の間に浸透しつつある。３Ｄ映像提供装置は、既に普及段階にあり、これにより３Ｄ映像の質的向上と視聴の便宜性の増大を求める視聴者の声が一段と高くなっている。
【０００５】
茶の間に普及した３Ｄ映像の視聴のためのシステムの中核を占めているのは、３ＤＴＶのような３Ｄ映像提供装置、そして３Ｄ映像提供装置と連動して立体感のある映像を提供するための３Ｄメガネであろう。３Ｄ映像提供装置と３Ｄメガネは限られた空間で連動し、視聴者に立体映像を提供する。
【０００６】
一方、３Ｄメガネと連動する３Ｄ映像提供装置を用いて、複数のユーザに互いに異なるコンテンツを提供できるようになる。ところが、映像に関しては、３Ｄメガネを制御することにより、複数のユーザが互いに異なるコンテンツを視聴できるが、オーディオに関しては複数のユーザに互いに異なるオーディオを提供しにくいという問題があった。
【先行技術文献】
【特許文献】
【０００７】
【特許文献１】韓国特開第２００６−７００３７９５号公報
【特許文献２】日本特開第２００９−５００６７２号公報
【特許文献３】韓国特開第２００８−００５０８２１号公報
【特許文献４】韓国特開第２００３−００３６７３７号公報
【発明の概要】
【発明が解決しようとする課題】
【０００８】
本発明は、上記問題に鑑みてなされたものであり、本発明の目的は、３Ｄメガネと連動するディスプレイ装置において、提供される映像に合ったオーディオが提供できるディスプレイ装置を提供することにある。
【０００９】
一方、本発明の別の目的は、複数のコンテンツに対する映像を提供するディスプレイ装置と連動する３Ｄメガネにおいて、提供される映像に合ったオーディオを選択して出力できる３Ｄメガネを提供することにある。
【００１０】
そして、本発明の更に別の目的は、複数の映像をそれぞれ視聴する複数のユーザが映像に合ったオーディオを選択して聞くことができるディスプレイシステムを提供することにある。
【課題を解決するための手段】
【００１１】
上述の目的を達成ための本発明の一実施形態に係る３Ｄメガネは、外部ディスプレイ装置と連動する３Ｄメガネにおいて、前記外部ディスプレイ装置から同期信号およびオーディオ信号を受信する無線受信部と、前記受信した同期信号に従ってシャッターを駆動するシャッター駆動部と、前記受信したオーディオ信号を処理して出力するオーディオ出力部とを含む。
【００１２】
そして、前記シャッター駆動部は、前記外部ディスプレイ装置が互いに異なるコンテンツに該当する複数の映像を表示する場合、前記同期信号に対応して前記複数の映像のうちいずれか一つのみがユーザに見せられるようにシャッターを駆動することが望ましい。
【００１３】
なお、前記オーディオ信号は、前記複数の映像に対応する複数のチャネルのオーディオ信号であり、前記オーディオ出力部は、前記受信した複数のチャネルのオーディオ信号のうち、ユーザに見せられる映像に該当するオーディオ信号を出力することが望ましい。
【００１４】
そして、本実施形態に係る３Ｄメガネは、ユーザからチャネルの選択を入力されるチャネル選択部を更に含み、前記オーディオ出力部は、前記チャネル選択部を介して選択されたチャネルに該当するオーディオ信号を出力することが望ましい。
【００１５】
なお、前記外部ディスプレイ装置は、複数の映像を交互に出力するディスプレイ装置であって、前記同期信号は、前記複数の映像のうちいずれか一つの映像が出力されるタイミングと同期化した信号であることが望ましい。
【００１６】
そして、前記備えられたシャッターは左眼シャッターおよび右眼シャッターを含み、前記シャッター駆動部は、前記同期信号に従って左眼シャッターおよび右眼シャッターの開閉を同時に駆動させることが望ましい。
【００１７】
なお、前記無線受信部は、Ｚｉｇｂｅｅ規格に従って前記オーディオ信号を受信することが望ましい。
【００１８】
一方、上述の目的を達成するための本発明の一実施形態に係るディスプレイ装置は、３Ｄメガネと通信するディスプレイ装置において、複数の映像を信号処理する信号処理部と、信号処理された複数の映像を出力するディスプレイ部と、前記複数の映像に該当する同期信号およびオーディオ信号を前記３Ｄメガネに伝送する通信部とを含む。
【００１９】
そして、前記ディスプレイ部は、互いに異なるコンテンツに該当する複数の映像を表示することが望ましい。
【００２０】
なお、前記オーディオ信号は、前記複数の映像に対応する複数のチャネルのオーディオ信号であることが望ましい。
【００２１】
そして、前記同期信号は、前記複数の映像のうちいずれか一つの映像が出力されるタイミングと同期化した信号であることが望ましい。
【００２２】
なお、前記通信部は、Ｚｉｇｂｅｅ規格に従ってオーディオ信号を伝送することが望ましい。
【００２３】
一方、上述の目的を達成するための本発明の別の実施形態に係るディスプレイ装置は、複数の映像信号および前記複数の映像信号のそれぞれに対応する複数のオーディオ信号を受信する受信部と、前記受信された複数の映像を順次に繰り返し出力するディスプレイ部と、前記複数の映像信号それぞれの出力タイミングに同期化した同期信号を生成する同期信号生成部と、複数の外部機器との通信を行なう通信部と、前記通信部を介して前記複数のオーディオ信号および前記複数の同期信号を複数の外部機器に伝送する制御部とを含む。
【００２４】
そして、前記制御部は、前記複数のオーディオ信号を多チャネルに合成し、前記通信部を介して前記複数の外部機器に伝送することが望ましい。
【００２５】
なお、前記制御部は、前記複数の映像のうちいずれか一つの映像に該当する同期信号およびその映像に対応するオーディオ信号を同時に伝送することが望ましい。
【００２６】
そして、前記受信部が受信する映像は、外部から無線で受信された映像または前記ディスプレイ装置に有線で接続された外部装置から受信される映像であることが望ましい。
【００２７】
なお、前記同期信号は、前記複数の映像のうちいずれか一つの映像が、前記ディスプレイ部に出力されるタイミングと同期化した信号であることが望ましい。
【００２８】
そして、前記複数の外部機器は３Ｄメガネであり、前記３Ｄメガネは前記ディスプレイ装置と連動することが望ましい。
【００２９】
一方、上述の目的を達成するための本発明の更に別の実施形態に係る３Ｄメガネは、外部ディスプレイ装置と連動する３Ｄメガネにおいて、前記外部ディスプレイ装置から同期信号およびオーディオ信号を受信する無線受信部と、前記受信した同期信号に従ってシャッターを駆動するシャッター駆動部と、前記受信した同期信号に対応する映像に該当するオーディオ信号を選択して出力するオーディオ出力部とを含む。
【００３０】
そして、前記オーディオ信号は、前記外部ディスプレイ装置から出力される複数の映像に対応する複数のオーディオ信号が多チャネルに合成された信号であり、前記オーディオ出力部は、前記受信した多チャネルオーディオ信号のうちいずれか一つを選択して、選択されたオーディオ信号を出力することが望ましい。
【００３１】
そして、本発明の一実施形態に係る３Ｄメガネは、ユーザからチャネルの選択を入力されるチャネル選択部を更に含み、前記オーディオ出力部は、前記多チャネルオーディオ信号のうち、チャネル選択部を介して選択されたチャネルに該当するオーディオ信号を出力することが望ましい。
【００３２】
そして、前記オーディオ信号は、前記受信した同期信号に対応する映像に該当するオーディオ信号であり、前記オーディオ出力部は、前記受信したオーディオ信号をそのまま出力することが望ましい。
【００３３】
なお、前記外部ディスプレイ装置は複数の映像を交互に出力するディスプレイ装置であって、前記同期信号は、前記複数の映像のうちいずれか一つの映像が出力されるタイミングと同期化した信号であることが望ましい。
【００３４】
そして、前記シャッター駆動部は、前記同期信号に基づいて、備えられたシャッターを駆動させることが望ましい。
【００３５】
なお、前記備えられたシャッターは左眼シャッターおよび右眼シャッターを含み、前記シャッター駆動部は、前記同期信号に従って左眼シャッターおよび右眼シャッターの開閉を同時に駆動させることが望ましい。
【００３６】
一方、上述の目的を達成するための本発明の一実施形態に係るディスプレイシステムは、複数の映像を交互に出力するディスプレイ装置と、前記ディスプレイ装置と連動する３Ｄメガネとを含み、前記ディスプレイ装置は３Ｄメガネに同期信号およびオーディオ信号を伝送し、前記３Ｄメガネは前記受信した同期信号に対応する映像に該当するオーディオ信号を選択して出力する。
【００３７】
なお、前記オーディオ信号は、前記ディスプレイ装置から出力される複数の映像に対応する複数のオーディオ信号が多チャネルに合成された信号であり、前記３Ｄメガネは、前記受信した多チャネルオーディオ信号のうちいずれか一つを選択し、選択されたオーディオ信号を出力することが望ましい。
【００３８】
そして、前記オーディオ信号は、前記３Ｄメガネが受信した同期信号に対応する映像に該当するオーディオ信号であり、前記３Ｄメガネは、前記受信したオーディオ信号をそのまま出力することが望ましい。
【００３９】
なお、前記同期信号は、前記ディスプレイ装置から出力される複数の映像のうちいずれか一つの映像が出力されるタイミングと同期化した信号であり、前記３Ｄメガネは、前記受信した同期信号に従って備えられたシャッターを制御することが望ましい。
【発明の効果】
【００４０】
上述した本発明の実施形態に係るディスプレイ装置および３Ｄメガネによると、ディスプレイ装置を通じて視聴する映像に対応するオーディオを選択して聴取できるようになる。これにより、複数のユーザが互いに干渉されることなく、別個のコンテンツを鑑賞することが可能となる。
【図面の簡単な説明】
【００４１】
【図１】本発明の一実施形態に係るディスプレイシステムの環境を示す図である。
【図２】本発明の一実施形態に係るディスプレイ装置の構成を示すブロック図である。
【図３】本発明の一実施形態に係るディスプレイ装置の動作を説明するための図である。
【図４】本発明の一実施形態に係る３Ｄメガネの構成を示すブロック図である。
【図５】本発明の一実施形態に係る３Ｄメガネの動作を説明するための図である。
【図６Ａ】オーディオ出力が可能な３Ｄメガネの例を示す図である。
【図６Ｂ】オーディオ出力が可能な３Ｄメガネの例を示す図である。
【図６Ｃ】オーディオ出力が可能な３Ｄメガネの例を示す図である。
【発明を実施するための形態】
【００４２】
以下に添付図面を参照しながら、本発明の好適な実施の形態について詳細に説明する。図１は、本発明の一実施形態に係るディスプレイシステムの環境を示す図である。本実施形態に係るディスプレイシステムは、ディスプレイ装置１００および複数の３Ｄメガネ３００、３１０で構成される。
【００４３】
ディスプレイ装置１００は、複数のコンテンツを交互に出力する機能をもつ。これを用いて、ディスプレイ装置１００は左眼映像および右眼映像でない、互い異なるコンテンツを交互に出力し、二つ以上の３Ｄメガネ３００、３１０で左眼シャッターおよび右眼シャッターの同時開閉を用いることにより、二つ以上のユーザが互いに異なるコンテンツを視聴できるようにする。以下では、このように、左眼映像および右眼映像でない、互いに異なるコンテンツを交互に出力して２以上のユーザが互いに異なるコンテンツを鑑賞できるモードをデュアルビューモード（Ｄｕａｌ  Ｖｉｅｗ  Ｍｏｄｅ）と称して説明する。
【００４４】
一方、立体映像サービスを提供する場合、ディスプレイ装置１００は左眼映像と右眼映像とを交互に出力し、その出力タイミングと同期化した同期信号を３Ｄメガネに赤外線送信する。３Ｄメガネ３００、３１０はディスプレイ装置１００から赤外線受信した同期信号に基づいて、左眼シャッターと右眼シャッターの開閉を交互に駆動し、ユーザに立体感のある映像を提供する。
【００４５】
図１は、デュアルビューモードで互いに異なる映像を交互に出力する方式を示す。図１に示すように、ディスプレイ装置１００は、第１のコンテンツ１００−１および第２のコンテンツ１００−２を交互に出力するようになる。即ち、６０Ｈｚ、１２０Ｈｚまたは２４０Ｈｚなどのタイミングで、第１のコンテンツ１００−１および第２のコンテンツ１００−２がディスプレイ装置１００のディスプレイ部に交互に出力される。
【００４６】
このとき、ディスプレイ装置１００はそれぞれのコンテンツ１００−１、１００−２の出力タイミングと同期化した同期信号をそれぞれの３Ｄメガネに無線で伝送する。即ち、第１のコンテンツ１００−１を視聴しようとする第１の３Ｄメガネ３００には、ディスプレイ装置１００のディスプレイ部から第１のコンテンツ１００−１が出力されるタイミングに同期化した第１の同期信号が伝送され、第２のコンテンツ１００−２を視聴しようとする第２の３Ｄメガネ３１０には、ディスプレイ装置１００のディスプレイ部から第２のコンテンツ１００−２が出力されるタイミングに同期化した第２の同期信号が伝送される。このような伝送は、赤外線信号またはＲＦ信号を用いて行なわれる。
【００４７】
そして、第１の３Ｄメガネ３００は、受信した第１の同期信号に基づいて、ディスプレイ装置１００のディスプレイ部に第１のコンテンツ１００−１が出力される際には備えられている左眼シャッターと右眼シャッターとを同時にオープンし、次いで、ディスプレイ装置１００のディスプレイ部に第２のコンテンツ１００−２が出力される際には左眼シャッターおよび右眼シャッターを同時にクローズする。
【００４８】
同様に、第２の３Ｄメガネ３１０は、受信した第２の同期信号に基づいて、ディスプレイ装置１００のディスプレイ部に第１のコンテンツ１００−１が出力される際には備えられている左眼シャッターと右眼シャッターとを同時にクローズし、次いで、ディスプレイ装置１００のディスプレイ部に第２のコンテンツ１００−２が出力される際には左眼シャッターおよび右眼シャッターを同時にオープンする。
【００４９】
このような過程を経て、第１の３Ｄメガネ３００を着用したユーザは第１コンテンツ１００−１のみを鑑賞するようになり、第２の３Ｄメガネ３１０を着用したユーザは第２コンテンツ１００−２のみを鑑賞できるようになる。
【００５０】
上述の複数のコンテンツに対応する映像伝送と違って、オーディオ伝送においては別の方法が用いられる。即ち、二つ以上のユーザが同じ空間内で一つのディスプレイ装置を通じてコンテンツを鑑賞しているため、互いに異なるオーディオ信号が同時に出力されることは望ましくない。従って、本発明の一実施形態に係るディスプレイシステムでは、ディスプレイ装置１００は第１のコンテンツ１００−１に対応する第１のオーディオ信号を第１の３Ｄメガネ３００に無線で伝送し、第２のコンテンツ１００−２に対応する第２のオーディオ信号は第２の３Ｄメガネ３１０に無線で伝送できる。
【００５１】
なお、その一方で、ディスプレイ装置１００は、第１のコンテンツ１００−１に該当する第１のオーディオ信号および第２のコンテンツ１００−２に該当する第２のオーディオ信号を多チャネルに合成して複数の３Ｄメガネ３００、３１０に伝送し、それぞれの３Ｄメガネが視聴しようとするコンテンツに該当するオーディオ信号のチャネルを選択することにより、当該コンテンツに対応するオーディオ信号を聴取できるようになる。選択されたチャネルに該当するオーディオ信号は受信された同期信号に対応するコンテンツに含まれたオーディオ信号、即ち、３Ｄメガネを着用したユーザに見せられる映像に該当するオーディオ信号となる。
【００５２】
上述の説明において、ディスプレイ装置１００は３Ｄディスプレイ装置のような３Ｄコンテンツを提供する映像出力装置であることが望ましいが、複数のコンテンツを交互に出力可能なディスプレイ装置なら、これに限ることなく、３Ｄ映像を出力しない如何なるディスプレイ装置でも構わない。なお、本システムにおいて、二つの３Ｄメガネを想定して説明したが、三つ以上のコンテンツを提供するディスプレイ装置１００なら、３Ｄメガネの個数も三つ以上で構成され得ることは当業者には自明である。
【００５３】
これまで、二つ以上のコンテンツを鑑賞できるディスプレイシステムについて説明してきたが、以下では、そのシステムを構成するディスプレイ装置および３Ｄメガネについて、その装置別に詳細に説明する。
【００５４】
図２は、本発明の一実施形態に係るディスプレイ装置１００の構成を示すブロック図である。本実施形態に係るディスプレイ装置１００は、受信部１２０と、デマルチプレクサ１３０と、映像処理部１４０と、ディスプレイ部１５０と、オーディオ処理部１６０と、オーディオ出力部１７０と、制御部１８０と、通信部１９０および同期信号生成部１９５を含む。
【００５５】
受信部１２０は、アンテナ１１０を介して無線で映像コンテンツを受信したり、外部装置１１５を介して有線で映像コンテンツを受信する機能をもつ。ここで、外部装置１１５とは、ＤＶＤやセットトップボックスのような映像コンテンツが提供できる装置のことをいう。一方、受信する映像コンテンツは２Ｄ映像および３Ｄ映像を含み、二つ以上の映像コンテンツが受信され得る。その後、受信部１２０は、受信した映像コンテンツをデマルチプレクサ１３０に提供する。
【００５６】
デマルチプレクサ１３０は、受信部１２０から受信した映像コンテンツ信号を映像信号及びオーディオ信号に分離して、それぞれ映像処理部１４０およびオーディオ処理部１６０に出力し、映像処理部１４０はデマルチプレクサ１３０から分離された映像信号を復号化し、ディスプレイ部１５０で出力可能なフォーマットの映像信号に変換し、変換された映像信号をディスプレイ部１５０に提供する。そして、オーディオ処理部１６０はデマルチプレクサ１３０から分離されたオーディオ信号をデコーディングして、オーディオ出力部１７０で出力可能なフォーマットのオーディオ信号に変換してオーディオ出力部１７０に提供する。
【００５７】
一方、オーディオ処理部１６０は、複数の映像コンテンツに含まれたそれぞれのオーディオ信号を以下に説明する通信部１９０を介して外部機器、即ち、３Ｄメガネに伝送する場合、多チャネルオーディオ信号に合成して伝送する場合には、受信された複数のオーディオ信号を多チャネルオーディオ信号に合成できる。
【００５８】
ディスプレイ部１５０は、映像処理部１４０から提供された映像信号を出力する機能をもつ。特に、デュアルビューモードで複数の映像コンテンツに該当する映像信号が入力された場合、複数の映像信号を交互に出力して複数のユーザに複数の映像コンテンツを提供できる。
【００５９】
オーディオ出力部１７０は、オーディオ処理部１６０から受信したオーディオ信号を出力してユーザに提供する。
【００６０】
制御部１８０は、ディスプレイ装置１００の全般的な動作に関与し、受信部１２０と、デマルチプレクサ１３０と、映像処理部１４０と、ディスプレイ部１５０と、オーディオ処理部１６０と、オーディオ出力部１７０と、通信部１９０および同期信号生成部１９５の動作を制御する機能をもつ。
【００６１】
特に、制御部１８０は同期信号生成部１９５を制御し、映像処理部１４０から受信した映像信号をディスプレイ部１５０に出力するうえで、出力されるタイミングに同期化した同期信号を生成する。生成された同期信号は通信部１９０を介して３Ｄメガネのような外部機器に伝送される。なお、通信部１９０を介してオーディオ処理部１６０で処理された複数のオーディオ信号を複数の３Ｄメガネのような外部機器にそれぞれ伝送したり、オーディオ処理部１６０で処理された多チャネルオーディオ信号を外部機器に伝送する機能をもつ。
【００６２】
通信部１９０は、制御部１８０の制御により、同期信号または複数のオーディオ信号を外部機器に伝送する機能をもつ。
【００６３】
同期信号生成部１９５は、ディスプレイ部１５０に映像を出力されるタイミングに同期化した同期信号を生成し、これを３Ｄメガネなどの外部機器に伝送することにより、ディスプレイ装置１００と外部機器が連動できるようにする。
【００６４】
前記ディスプレイ装置１００の構成に関する説明において、通信部１９０を介して同期信号またはオーディオ信号を外部機器に伝送するものとして想定して説明してきたが、同期信号生成部１９５から生成された同期信号の場合、ＲＦ（Ｒａｄｉｏ  Ｆｒｅｑｕｅｎｃｙ）信号でないＩＲ（Ｉｎｆｒａｒｅｄ  Ｒａｄｉｏ）信号を用いることもできるため、通信部１９０はＩＲ伝送およびＲＦ伝送ができるように構成されている。これとは異なる実施形態においては、通信部１９０がＲＦ送信部とＩＲ送信部とで別途に構成されることもできる。このような変形は、当業者に自明である。
【００６５】
図３は、本発明の一実施形態に係るディスプレイ装置の動作を説明するための図である。本実施形態に係るディスプレイ装置は、放送受信部１２００と、放送受信部２２１０と、信号処理部２３０と、デュアルビュー（Ｄｕａｌ  Ｖｉｅｗ）合成部２４０と、ディスプレイ部２５０および通信部２６０を備える。
【００６６】
本実施形態に係るディスプレイ装置は、二つ以上のコンテンツを出力するために複数の受信部を備える。放送受信部１２００および放送受信部２２１０を介して受信される放送コンテンツは、互いに異なるコンテンツでもよく、なお、有線または無線で接続された外部装置２２０から映像とオーディオとを含むコンテンツを受信することもできる。以下では、コンテンツＡおよびコンテンツＢの二つのコンテンツを受信するものとして想定して説明する。
【００６７】
信号処理部２３０は、複数の受信部２００、２１０、２２０から受信した複数のコンテンツに含まれた映像信号およびオーディオ信号を分離し、デコーディングしてディスプレイ部２５０に表示可能な映像信号に変換したり、出力可能なオーディオ信号に変換する機能をもつ。一方、オーディオ信号を外部に伝送するうえで、複数のコンテンツからオーディオ信号を抽出し、これを多チャネルに合成して多チャネルオーディオ信号を生成することもできる。
【００６８】
即ち、信号処理部２３０は、コンテンツＡに対応するオーディオ信号ＡおよびコンテンツＢに対応するオーディオ信号Ｂを多チャネルに合成した多チャネルオーディオ信号（Ａ＋Ｂ）を生成し、このように生成された多チャネルオーディオ信号（Ａ＋Ｂ）は、通信部２６０を介して無線で外部機器に伝送される。
【００６９】
そして、コンテンツＡおよびコンテンツＢに含まれていた映像信号Ａおよび映像信号Ｂを提供されるデュアルビュー合成部２４０は、各映像信号が含まれるフレームを交互に出力できるように映像処理する。デュアルビュー合成部２４０で処理されたデュアルビュー合成映像（Ａ＋Ｂ）は、ディスプレイ部２５０を介して出力される。このとき、ディスプレイ部２５０を介して出力される映像は、コンテンツＡに含まれたフレームとコンテンツＢに含まれたフレームとが交互に出力される映像である。
【００７０】
以上では、図１で示されたシステムを構成するディスプレイ装置１００に着目して説明してきたが、以下では図４を参照して本システムの別の構成である３Ｄメガネ３００、３１０に着目してより詳細に説明する。
【００７１】
図４は、本発明の一実施形態に係る３Ｄメガネ３００、３１０の構成を示すブロック図である。本実施形態に係る３Ｄメガネ３００、３１０は、無線受信部３２０と、オーディオ処理部３３０、オーディオ出力部３４０と、制御部３５０と、チャネル選択部３６０と、シャッター駆動部３７０と、右眼シャッター３８０および左眼シャッター３９０を含む。
【００７２】
無線受信部３２０は、外部ディスプレイ装置１００から同期信号およびオーディオ信号を無線で受信する。特に、無線受信部３２０はＲＦ信号またはＩＲ信号を通じて同期信号を受信したり、ＲＦ信号を通じてオーディオ信号を受信することができる。特に、オーディオ信号の受信は、一例として、Ｚｉｇｂｅｅ規格に従って受信できる。
【００７３】
ここで、無線受信部３２０を介して受信されるオーディオ信号は、複数のオーディオ信号が多チャネルに合成された多チャネルオーディオ信号でもよく、単数のオーディオ信号でもよい。
【００７４】
オーディオ処理部３３０は、受信したオーディオ信号を処理して、オーディオ出力部３４０から出力可能な形態の信号に変換する。特に、オーディオ処理部３３０は、以下で説明するチャネル選択部３６０で選択されたチャネルに該当するオーディオ信号を選別してオーディオ出力部３４０に提供する。
【００７５】
オーディオ出力部３４０は、オーディオ処理部３３０で処理されたオーディオ信号を出力してユーザに提供する。
【００７６】
制御部３５０は、オーディオ処理部３３０を制御してオーディオ信号が出力できるようにするか、シャッター駆動部３７０を制御して備えられた右眼シャッター３８０および左眼シャッター３９０の開閉を駆動させる。
【００７７】
チャネル選択部３６０は、無線受信部３２０から受信されたオーディオ信号が複数のオーディオ信号を含む多チャネルオーディオ信号である場合、そのうち一つのオーディオを選択する機能をもつ。チャネ選択部３６０で選択されるオーディオ信号は、ユーザの入力により選択されたオーディオ信号でもよく、受信される同期信号に基づいて選択されるオーディオ信号でもよい。一方、チャネル選択部３６０で選択されたオーディオ信号に基づいて、制御部３５０はオーディオ処理部３３０を制御して当該オーディオを出力させる。
【００７８】
シャッター駆動部３７０は、３Ｄメガネ３００、３１０の右眼シャッター３８０および左眼シャッター３９０の開閉に関与する。一般的な３Ｄ立体映像の場合には、外部ディスプレイ装置から左眼映像および右眼映像が交互に出力される場合、同期信号に基づいて右眼シャッター３８０および左眼シャッター３９０の開閉を交互に動作させるようになるが、本実施形態のように複数のコンテンツを交互に出力するディスプレイ装置１００においては、右眼シャッター３８０および左眼シャッター３９０が同時に開閉動作を行なう。即ち、交互に出力される複数のコンテンツのうち、視聴しようとするコンテンツに対応する同期信号に基づいて、右眼シャッター３８０および左眼シャッター３９０が同時に開閉動作を繰り返す。
【００７９】
一方、無線受信部３２０から受信した音声信号が多チャネルオーディオ信号である場合のオーディオ信号処理過程については、図５を参照して更に詳細に説明する。
【００８０】
図５に示すように、３Ｄメガネは無線受信部４００を介して外部ディスプレイ装置から同期信号および多チャネルオーディオ信号（Ａ＋Ｂ）を受信する。同期信号は、外部ディスプレイ装置と連動するための信号であり、外部ディスプレイ装置の映像出力に関連した３Ｄメガネの動作は上述したのと同様である。簡略に説明すると、同期信号に基づいてシャッター駆動部４２０は、左眼シャッターと右眼シャッターの開閉動作を制御する。その過程に存在するシャッター駆動信号変換部４１０は、同期信号からシャッターを駆動させるための信号を生成するための構成として、図５においては、これを一つの構成として別途に示してあるが、別の実施形態においてはシャッター駆動部４２０がシャッター駆動信号変換部を含む構成で実現されることもできる。即ち、シャッター駆動信号変換部４１０の構成は、シャッター駆動部４２０が左眼シャッターおよび右眼シャッターを駆動させるための信号の生成過程を具体化するためのものである。
【００８１】
オーディオ信号に関し、図５では、オーディオ信号Ａおよびオーディオ信号Ｂが多チャネルオーディオ信号（Ａ＋Ｂ）を構成する。オーディオチャネル選択部４３０は上述のように、視聴しようとするコンテンツに対応するオーディオを選択するための構成として、チャネル選択は、ユーザによって選択されてよく、受信された同期信号に基づいてチャネルが選択されてよい。
【００８２】
オーディオチャネル選択部４３０で選択された信号（ＡまたはＢ）は、オーディオ出力部４４０に伝達されて出力される。
【００８３】
このような過程を経て、３Ｄメガネを着用しているユーザは複数のコンテンツが出力される外部ディスプレイ装置で、いずれか一つのコンテンツに対する映像および音声のみを鑑賞できるようになる。
【００８４】
図６Ａないし図６Ｃは、上述のオーディオ出力が可能な３Ｄメガネの例を示している。図６Ａに示すように、３Ｄメガネのテンプル（つる）の部分に音声出力が可能なイヤホンが付いている形態でもよく、図６Ｂに示すように、３Ｄ眼鏡のフレームの部分にイヤホンが接続されてもよい。なお、図６Ｃに示すように、ヘッドホンのような形態で製作され、ユーザに高音質のオーディオを提供することもできる。
【００８５】
ところが、図６Ａないし図６Ｃに示された３Ｄ眼鏡の形態は、オーディオ出力部を備える３Ｄメガネの例を示しただけであって、勿論他の形態で製作できる。
【００８６】
なお、上述の実施形態は、コンピュータ判読可能な媒体上のコンピュータ判読可能コードを通じて実現できる。コンピュータ判読可能な媒体は、コンピュータによって判読できるデータを保存するデータ保存媒体である。例えば、コンピュータ可能媒体は、ＲＯＭ、ＲＡＭ、ＣＤ−ＲＯＭ、磁気テープ、フロッピー（登録商標）ディスクおよび光データ保存媒体でもよい。コンピュータ判読可能な媒体は、コンピュータ判読可能コードを保存して実行するために、ネットワークと接続されたコンピュータシステムに分布されることができる。なお、別の実施形態では、コンピュータプログラムが搬送波のようなコンピュータ判読伝送媒体を介して伝送されてもよく、一般的なデジタルコンピュータに受信されて実行されてもよい。更に、ディスプレイ装置１００および３Ｄメガネ３００、３１０のうち少なくとも一つのユニットは、コンピュータ判読媒体に保存されたコンピュータプログラムを実行させるためのプロセッサやマイクロプロセッサを含む。
【００８７】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【図１】
2011229146.tif 000003
【図２】
2011229146.tif 000004
【図３】
2011229146.tif 000005
【図４】
2011229146.tif 000006
【図５】
2011229146.tif 000007
【図６Ａ】
2011229146.tif 000008
【図６Ｂ】
2011229146.tif 000009
【図６Ｃ】
2011229146.tif 000010